【手続補正書】
【提出日】平成30年5月17日(2018.5.17)
【手続補正１】
【補正対象書類名】特許請求の範囲
【補正対象項目名】全文
【補正方法】変更
【補正の内容】
【特許請求の範囲】
【請求項１】
患者のターゲット組織をアブレーションするための装置であって、
近端部と端子遠端部とを備えるカテーテル本体と、
前記カテーテル本体の前記端子遠端部に連結された楕円形リングであって、前記楕円形リングは長軸と短軸とを有し、前記短軸は前記楕円形リングを第１の部分と第２の部分とに分割し、前記第１の部分は前記長軸の頂点を包含している、楕円形リングと、
前記楕円形リングによって支持された複数の電極と、
を備え、
前記楕円形リングの前記第１の部分によって支持された電極の数は、前記楕円形リングの前記第２の部分によって支持された電極の数を上回る、
装置。
【請求項２】
前記長軸は第１の直径を備え、前記短軸は第２の直径を備え、前記第１の直径は前記第２の直径よりも５ｍｍ長い、請求項１に記載の装置。
【請求項３】
前記複数の電極のうちの少なくとも１つの電極が前記長軸の前記頂点の上に配置されている、請求項１に記載の装置。
【請求項４】
前記複数の電極は前記長軸の前記頂点の両側にまたがるように配置されている、請求項１に記載の装置。
【請求項５】
前記カテーテル本体の前記遠端部は可撓性であり、前記楕円形リングは前記遠端部に対して直交している、請求項１に記載の装置。
【請求項６】
前記楕円形リングは平面状である、請求項１に記載の装置。
【請求項７】
前記楕円形リングは３６０度未満のカーブを備える、請求項１に記載の装置。
【請求項８】
前記複数の電極は、第１の長さを有する第１の電極と、前記第１の長さとは異なる第２の長さを有する第２の電極と、前記第１の長さとは異なりかつ前記第２の長さとも異なる第３の長さを有する第３の電極とを備える、請求項１に記載の装置。
【請求項９】
前記第１、第２、および第３の電極は実質的に同一平面上にある、請求項８に記載の装置。
【請求項１０】
前記楕円形リングは、３６０度未満でありかつ２７０度より大きいカーブを備える、請求項８に記載の装置。
【請求項１１】
前記第１の長さは４ｍｍであり、任意で、前記第２の長さは少なくとも３ｍｍでありかつ前記第１の長さ未満であり、更に任意で、前記第３の長さは少なくとも２ｍｍでありかつ前記第２の長さ未満である、請求項８に記載の装置。
【請求項１２】
前記第１の電極は前記第２の電極および前記第３の電極から等しい距離離間されている、請求項８に記載の装置。
【請求項１３】
前記長軸は２５ｍｍから５０ｍｍの長さを有する第１の直径を備え、前記短軸は前記第１の直径より短くかつ２０ｍｍから４５ｍｍの長さを有する第２の直径を備える、請求項１に記載の装置。
【請求項１４】
前記第２の直径の前記長さは前記第１の直径の前記長さより１０％から２０％短い、請求項１３に記載の装置。
【手続補正２】
【補正対象書類名】図面
【補正対象項目名】図１
【補正方法】変更
【補正の内容】
【図１】
2017521214.tif 000001
【手続補正３】
【補正対象書類名】図面
【補正対象項目名】図７Ａ
【補正方法】変更
【補正の内容】
【図７Ａ】
2017521214.tif 000002
【手続補正４】
【補正対象書類名】図面
【補正対象項目名】図７Ｂ
【補正方法】変更
【補正の内容】
【図７Ｂ】
2017521214.tif 000003
【手続補正５】
【補正対象書類名】図面
【補正対象項目名】図１０Ａ
【補正方法】変更
【補正の内容】
【図１０Ａ】
2017521214.tif 000004
【手続補正６】
【補正対象書類名】図面
【補正対象項目名】図１０Ｂ
【補正方法】変更
【補正の内容】
【図１０Ｂ】
2017521214.tif 000005
【手続補正７】
【補正対象書類名】図面
【補正対象項目名】図１０Ｃ
【補正方法】変更
【補正の内容】
【図１０Ｃ】
2017521214.tif 000006
【手続補正８】
【補正対象書類名】図面
【補正対象項目名】図１０Ｄ
【補正方法】変更
【補正の内容】
【図１０Ｄ】
2017521214.tif 000007
【手続補正９】
【補正対象書類名】図面
【補正対象項目名】図１１
【補正方法】変更
【補正の内容】
【図１１】
2017521214.tif 000008
【手続補正１０】
【補正対象書類名】図面
【補正対象項目名】図１４Ａ
【補正方法】変更
【補正の内容】
【図１４Ａ】
2017521214.tif 000009
【手続補正１１】
【補正対象書類名】図面
【補正対象項目名】図２５Ａ
【補正方法】変更
【補正の内容】
【図２５Ａ】
2017521214.tif 000010
【手続補正１２】
【補正対象書類名】図面
【補正対象項目名】図２５Ｂ
【補正方法】変更
【補正の内容】
【図２５Ｂ】
2017521214.tif 000011
【手続補正１３】
【補正対象書類名】図面
【補正対象項目名】図２５Ｃ
【補正方法】変更
【補正の内容】
【図２５Ｃ】
2017521214.tif 000012
【手続補正１４】
【補正対象書類名】図面
【補正対象項目名】図２５Ｄ
【補正方法】変更
【補正の内容】
【図２５Ｄ】
2017521214.tif 000013
【手続補正１５】
【補正対象書類名】図面
【補正対象項目名】図２５Ｅ
【補正方法】変更
【補正の内容】
【図２５Ｅ】
2017521214.tif 000014
【手続補正１６】
【補正対象書類名】図面
【補正対象項目名】図２５Ｆ
【補正方法】変更
【補正の内容】
【図２５Ｆ】
2017521214.tif 000015
【手続補正１７】
【補正対象書類名】図面
【補正対象項目名】図２５Ｇ
【補正方法】変更
【補正の内容】
【図２５Ｇ】
2017521214.tif 000016
【手続補正１８】
【補正対象書類名】図面
【補正対象項目名】図２５Ｈ
【補正方法】変更
【補正の内容】
【図２５Ｈ】
2017521214.tif 000017
【手続補正１９】
【補正対象書類名】明細書
【補正対象項目名】００５７
【補正方法】変更
【補正の内容】
【００５７】
【図３】図３は図１の線３−３に沿った模式的な断面図である。
【手続補正２０】
【補正対象書類名】明細書
【補正対象項目名】００６１
【補正方法】変更
【補正の内容】
【００６１】
【図７Ａ】図７Ａは解剖して平坦にしたイヌ肺動脈の内表面の図である。
【図７Ｂ】図７Ｂは解剖して平坦にしたイヌ肺動脈の内表面の図である。
【手続補正２１】
【補正対象書類名】明細書
【補正対象項目名】００８６
【補正方法】変更
【補正の内容】
【００８６】
【図１９Ｂ】図１９Ｂは、図１９Ａで示された部分の拡大模式図であり、右肺動脈の近位部分の前壁におけるアブレーションのための位置を示す。
【手続補正２２】
【補正対象書類名】明細書
【補正対象項目名】０１１６
【補正方法】変更
【補正の内容】
【０１１６】
任意で、溝が可撓性端部３の遠端部に配置され得、コネクタ１１が当該溝内に配置され得る。コネクタ１１の一端がプルワイヤ８に接続され得、コネクタ１１の他端が形状記憶ワイヤ１２に接続され得る。紫外線硬化接着剤などの接着剤を溝に注入することによって、コネクタ１１は可撓性端部３の遠端部に固定され得る。
【手続補正２３】
【補正対象書類名】明細書
【補正対象項目名】０２１６
【補正方法】変更
【補正の内容】
【０２１６】
いくつかの実施形態では、組織温度は、例えば３部位ｂ１、ｂ２、ｂ３にそれぞれ２分間ずつＲＦエネルギーをかけることによって、５０℃（４８℃〜５２℃の範囲）まで上げられる。上述したように、任意で、更なるアブレーションは省略できる。
【手続補正２４】
【補正対象書類名】明細書
【補正対象項目名】０２４８
【補正方法】変更
【補正の内容】
【０２４８】
図２５Ｄは、デジタルアブレーションコントローラ２５００の初期ユーザーインターフェース２５２６のスクリーンショットである。初期ユーザーインターフェースは、デジタルアブレーションコントローラ２５００と相互作用するように選択され得るボタンを含む。例えば、初期ユーザーインターフェース２５２６は、ユーザーインターフェースの言語設定を変えるためのボタン２５２０と、デジタルアブレーションコントローラ２５００に保存されたデータにアクセスするためのボタン２５２２と、デジタルアブレーションコントローラ２５００の動作を開始するためのボタン２５２４とを例示している。
【手続補正２５】
【補正対象書類名】明細書
【補正対象項目名】０２５４
【補正方法】変更
【補正の内容】
【０２５４】
図２７は、図２５Ａ〜２５Ｈのコントローラ２５００内または図１５Ｃ〜１５Ｄのコントローラ１００内において実施されてもよいソリッドステート切り替えシステム２７００を例示する模式図である。図２６の機械的切り替えシステム２６００とは対照的に、ソリッドステート切り替えシステム２７００は、物理的に動く可動部を使用することなく作動される。ソリッドステート切り替えシステム２７００は、ソース接点２６０２と、信号源に接続されたセレクタ接点２７０２と、ソリッドステートスイッチ２７０４Ａ〜Ｊと、電極接点２６０６Ａ〜Ｊと、接地２６１２とを含んでもよい。電極接点２６０６Ａ〜Ｊはそれぞれ、アブレーションに使用されてもよい異なる電極２６０８Ａ〜Ｊに接続されている。ソース接点２６０２は、アブレーション用に十分なレベルのＲＦエネルギーの源に接続されてもよい。ソリッドステート切り替えシステムは、特定のソリッドステートスイッチ２７０４Ａ〜Ｊをしてソース接点２６０２を特定の電極接点２６０６Ａ〜Ｊへ接続させる特定の信号（例えば特定の電圧レベルに）にセレクタ接点２７０２を設定してもよい。例えば、ソリッドステート切り替えシステムは、ソリッドステートスイッチ２７０４Ｊを作動させる電圧レベルにセレクタ接点２７０２を設定してソース接点２６０２を電極接点２６０６Ｊへ接続し、それによって、アブレーション用に十分なレベルのＲＦエネルギーを電極接点２６０６Ｊに関連付けられた電極へ提供してもよい。また、ソリッドステートスイッチ２７０４Ｊがソース接点２６０２を電極接点２６０６Ｊに接続した状態で、他のソリッドステートスイッチ２７０４Ａ〜Ｉは、自己の関連付けられた電極接点２６０６Ａ〜Ｉと接地２６１２との間の接続を維持してもよい。ソリッドステートスイッチは、ＭＯＳＦＥＴ、ＩＧＢＴ、バイポーラトランジスタ、およびサイリスタを含む、任意のタイプのソリッドステート装置を使用して実施されてもよい。